(57)【特許請求の範囲】
【請求項１】
変換器軸線に対してほぼ中心対称的に配設され、変換器軸線の方向に振動し得るダイアフラムと；前記変換器の背部ボリュームの区域で前記ダイアフラムに接続されたボイスコイルと；前記変換器軸線に対してほぼ中心対称的に配設された磁石系とを具え；該磁石系は変換器のハウジング内に収容され、且つ磁石、この磁石に隣接されたカバーディスクおよびほぼポット状のヨークを具え、このポット状ヨークはこれも前記磁石に隣接するコアディスクおよび前記変換器軸線に平行な方向に前記コアディスクから突出するとともに前記カバーディスクとの間に前記ボイスコイルが配列される環状空隙が形成される中空円筒形ヨーク部分を具え；他に前記背部ボリュームに近接して適合され、前記変換器軸線と同心をなす円に平行に延在し変換器の前記背部ボリュームをも囲む一部の接触部分と対向する接触面を有するほぼ環状の閉止部材を具え、該閉止部材はその接触面で終了し、前記背部ボリュームとこれを囲む音響自由空間との間に音響摩擦を生ずる少なくとも１つの経路を有する電気音響変換器において、前記磁石系はほぼ中空円筒形とするとともに環状磁石、環状カバーディスクおよび中空円筒形ヨークを具え、該中空円筒形ヨークは環状コアディスクを有し、この環状コアディスクの内径の区域から前記中空円筒形ヨーク部分が突出するものとし、；前記閉止部材は、前記変換器軸線に垂直に延在する環状接触面であって、前記変換器軸線に垂直に延在する前記変換器の前記背部ボリュームをも囲む一部の接触部分と対向する環状接触面を有する環状体と；前記環状体の全周に沿って前記環状体から斜めに突出するとともにバネ作用に抗して移動自在のリング状突部とを具え、このリング状突部によって衝合面に対する音響的封止を達成し、また、前記少なくとも１つの経路を前記環状体の前記変換器軸線に垂直に延在する環状接触面で終端させるようにしたことを特徴とする電気音響変換器。
【請求項２】
前記閉止部材の前記リング状突部は前記変換器軸線から離れる方向に前記閉止部材の前記環状体から突出するようにしたことを特徴とする請求項１に記載の電気音響変換器。
【請求項３】
互いに等しい角度離間された複数の安定化突部を前記リング状突部の方向とは逆の前記変換器軸線に対する方向に前記閉止部材の環状体から斜めに突出させるようにしたことを特徴とする請求項１に記載の電気音響変換器。
【請求項４】
前記安定化突部は前記リング状突部とほぼ同一角度で前記閉止部材の環状体から斜めに突出させるようにしたことを特徴とする請求項３に記載の電気音響変換器。
【請求項５】
前記閉止部材は、所定数の安定化突部と、この安定化突部の数に等しい数の経路とを有し、各安定化突部および各経路は半径方向ラインに対して対称的に配設するようにしたことを特徴とする請求項３または４に記載の電気音響変換器。
【請求項６】
前記変換器軸線の方向にほぼ延在する複数の等角度間隔毎に離間された突部を前記閉止部材の環状体に連結し、これら突部によって閉止部材を変換器の一部分に連結して閉止部材を保持し得るようにしたことを特徴とする請求項１〜５の何れかの項に記載の電気音響変換器。
【請求項７】
前記閉止部材はプラスチック、好適にはポリアセタールで形成することを特徴とする請求項１〜６の何れかの項に記載の電気音響変換器。
【請求項８】
変換器には、前記音響摩擦を生ずるために設けられる経路を互いに異なる構成にした閉止部材を設け、その結果、変換器が異なる音響特性を得るようにしたことを特徴とする請求項１〜７の何れかの項に記載の電気音響変換器。
【発明の詳細な説明】
発明の技術分野
本発明は変換器軸線に対してほぼ中心対称的に配設され、変換器軸線の方向に振動し得るダイアフラムと；前記変換器の背部ボリューム（背部凹所）の区域で前記ダイアフラムに接続されたボイスコイルと；前記変換器軸線に対してほぼ中心対称的に配設された磁石系とを具え；該磁石系は変換器のハウジング内に収容され、且つ磁石、この磁石に隣接されたカバーディスクおよびほぼポット状のヨークを具え、このポット状のヨークはこれも前記磁石に隣接するコアディスクおよび前記変換器軸線に平行な方向に前記コアディスクから突出するとともに前記カバーディスクとの間に前記ボイスコイルが配列される環状空隙が形成される中空円筒形ヨーク部分を具え；他に前記背部ボリュームに近接して適合され、前記変換器軸線と同心をなす円に平行に延在し変換器の前記背部ボリュームをも囲む一部の接触部分と対向する接触面を有するほぼ環状の閉止部材を具え、該閉止部材はその接触面で終了し、前記背部ボリュームとこれを囲む音響自由空間との間に音響摩擦を生ずる少なくとも１つの経路を有する電気音響変換器に関するものである。
発明の背景
上述した型の電気音響変換器は商品名WD00917として出願人から市販されており、これから既知である。この既知の電気音響変換器はほぼ円筒状の磁石系を具え、この磁石系は円形カバーディスク、丸いディスク状の磁石およびポット状ヨークを具え、このポット状ヨークは丸いディスク状の底面を具え、この底面から中空円筒形ヨーク部分をその周縁位置に突出させ、このヨーク部分が変換器軸に垂直に延在する周辺ポット壁部に変化するようにしている。この既知の変換器では、この磁石系をプラスチック変換器ハウジング内に収容している。既知の変換器では、既知の変換器の背部ボリュームを閉止する閉止部材をリング状閉止カップにより形成し、この閉止カップもプラスチックで形成するとともに変換器軸線に平行に延在する中空円筒形閉止壁部と、この閉止壁部に連結され円形開口を有する環状閉止ディスクとを具える。閉止部材として設けられたこのリング状閉止カップは変換器ハウジングの中空円筒形閉止壁部、即ち、この壁部の周面に超音波溶接により機械的に剛固に、且つ音響的に密封状態に連結する。環状閉止ディスクはその作動に当たり磁石系のポット状ヨークに、即ち、中空円筒形ヨーク部分に摺動し、従って、閉止カップの接触面を形成し、この接触面は、前記開口の境界面によって形成し、既知の変換器の変換器軸線に平行に延在し、且つ磁石系の、変換器軸線に平行に延在する中空円筒形ヨーク部分の接触部分と係合する。これがため、この既知の変換器では、閉止部材、即ち、閉止カップを変換器ハウジングに機械的に剛固に、且つ音響的に密封状態で連結する必要があるとともに閉止カップの環状閉止ディスクの内径とヨーク系の中空円筒形ヨーク部分の外径とを互いに正確に適合させる必要がある。変換器のハウジングへの音響的に密封状態で連結することおよび前記内径および外径を適合させることは余分な作業であり、変換器を一層高価とし、従って、これらの作業は回避する必要がある。
発明の概要
本発明の目的は、上述した問題を解決し、簡単に且つ簡単な手段で改良された電気音響変換器を提供せんとするものである。
この目的のため、本発明は、前記磁石系はほぼ中空円筒形とするとともに環状磁石、環状カバーディスクおよび中空円筒形ヨークを具え、該中空円筒形ヨークは環状コアディスクを有し、この環状コアディスクの内径の区域から前記中空円筒形ヨーク部分が突出するものとし、；前記閉止部材は、前記変換器軸線に垂直に延在する環状接触面であって、前記変換器軸線に垂直に延在する前記変換器の前記背部ボリュームをも囲む一部の接触部分と対向する環状接触面を有する環状体と；前記環状体の全周に沿って前記環状体から斜めに突出するとともにバネ作用に抗して移動自在のリング状突部とを具え、このリング状突部によって衝合面に対する音響的封止を達成し、また、前記少なくとも１つの経路を前記環状体の前記変換器軸線に垂直に延在する環状接触面で終端させるようにしたことを特徴とする。
斯様に、閉止部材は、まず最初その環状体とこの環状体に共働する変換器部分との間を音響的に密封状態にすることなく変換器に連結し、且つ変換器が電気音響装置に装着するまで、リング状突部と衝合面と間の音響的に密封状態での連結と、閉止部材の環状体における環状接触面と環状体に共働する変換器部分における環状接触部分との間の音響的密封連結とを行わず、次いで、閉止部材のリング状突部を電気音響装置の衝合面に対して弾性的に衝合させ、一方、これと同時に、変換器の背部ボリュームと変換器を囲む音響自由空間との間の音響インピーダンスが少なくとも１つの経路によって生じる。この音響インピーダンスは変換器の所望の音響特性を得るのに必要である。さらに、本発明電気音響変換器の閉止部材は位置決め機能および固定機能の双方を有する。その理由は変換器がこの電気音響装置内に装着された後、この閉止部材によって、変換器を電気音響装置の所望動作位置に安定に保持するからである。本発明電気音響変換器の閉止部材によれば、さらに、閉止部材のリング状突部によって高さの装着公差を補償し得る機能を有する。
本発明変換器では、リング状突部を環状体から変換器軸線に向かって斜めに突出させることができる。前記閉止部材の前記リング状突部を前記変換器軸線から離れる方向に前記閉止部材の前記環状体から突出するようにすれば、特に有利である。これがため、比較的大きな直径のリング状突部を得ることができ、これは有利である。その理由は斯様にして、リング状突部によって穏やかなバネ作用を達成することができるからである。
本発明変換器では、互いに等しい角度離間された複数の安定化突部を前記リング状突部の方向とは逆の前記変換器軸線に対する方向に前記閉止部材の環状体から斜めに突出させるようにすれば、さらに有利である。これによって、変換器の組込み条件において、閉止部材の環状体の環状接触面が常時環状体と共働せしめる変換器部分の接触部分と密に衝合し、これにより接触面および接触部分間の適宜の音響的密封連結を保証する。
上記変換器では、前記安定化突部を前記リング状突部とほぼ同一角度で前記閉止部材の環状体から斜めに突出させるようにすれば、極めて有利である。これによって、リング状突部および安定化突部によって供給されるバネ力ができるだけ均一に分布するようにすることができる。
上記変換器では、前記閉止部材が所定数の安定化突部と、この安定突部の数に等しい数の経路とを具え、各安定化突部および各経路を半径方向ラインに関して対称的に配設するようにすれば、特に有利である。このようにすると、閉止部材の環状体の接触面と、環状体に共働する変換器部分の接触部分との間に密で比較的大面積の係合を得ることができる。
上述の本発明変換器の全実施例において、前記変換器軸線の方向にほぼ延在する複数の等角度間隔毎に離間された突部を前記閉止部材の環状体に接続し、これら突部によって閉止部材を変換器の一部分に接続して閉止部材を保持し得るようにすれば、有利である。かかる構成によれば閉止部材を変換器部分に簡単に連結することができる。
上述の本発明変換器の全実施例において、前記閉止部材をプラスチック、好適にはポリアセタールで形成すれば、極めて有利である。実際上、かかる構成は特に有効である。その理由は特にポリアセタールが満足なバネ特性を有するとともに高温での安定性を有するからである。
上述の本発明変換器の全実施例において、さらに、変換器には前記音響摩擦を生ずるために設けられる経路を互いに異なる構成にした閉止部材を設け、その結果、変換器が異なる音響特性を得るようになり、特に有利である。これがため、その音響特性に関して互いに異なる本発明電気音響変換器の複数の変更例を簡単に且つほぼ費用を追加することなく達成することができる。
発明を実施するための最良の形態
図１乃至３は本発明の第１例の変換器軸線２を有する電気音響変換器１の基本ユニットＢを示し、この基本ユニットを図４に全体的に示す。変換器１の個別の部分を収納し且つ保持するために、変換器１はプラスチックハウジング３を具える。このハウジング３は本質的には中空円筒形周壁４を具え、この周壁は頂部で幅狭環状境界壁５に変化するとともに底部に３つの装着突部６、７、および８を有し、これら装着突部は互いに等しい角度で離間されている。変換器１の組立て前は、装着突部６、７、および８は前記周壁４から軸線方向に突出するとともに変換器１のすべての部分がハウジング３内に装着された後、これら突部を超音波処理によって曲げる。
変換器１はほぼ中空円筒形磁石系９を具え、この磁石系は変換器軸線２に関してほぼ中心対称的とし、且つその構成は図２から明らかである。磁石系９はハウジング３内に収納するとともに、リング磁石１０とも称される環状磁石１０を具え、この磁石を上側で環状カバーディスク１１に隣接させるとともに下側で中空円筒形ヨーク１３の環状コアディスク１２に隣接させるようにする。中空円筒形ヨーク１３は環状コアディスク１２および中空円筒形ヨーク部分１４を具え、中空円筒形ヨーク部分は環状コアディスクから変換器軸線２に平行な方向に突出させるとともにその環状コアディスク１２とは反対側の端部を環状カバーディスク１１の区域内に延長させて、カバーディスク１１およびヨーク部分１４間に環状空隙１５が形成されるようにする。卷装されたコイル線からなるボイスコイル１６はこの空隙１５内に配列するとともにこれを図２に線図的にのみ示す。その理由は卷装されたコイル線からなるコイルのかかる構成は一般に既知であるからである。既知のように、ボイスコイル１６は接着剤結合によりダイアフラム１７に固着し、このダイアフラムは変換器軸線２に関して中心対称的とするとともに変換器軸線２の方向に往復運動させることができる。ボイスコイル１６は変換器１の背部ボリューム（背部凹所）ＨＶに配置する。ダイアフラム１７は湾曲中心部分１８および環状周辺部分１９を具え、環状周辺部分１９は接着剤によりカバーディスク１１の縁部区域に接続し、この縁部区域はハウジングの幅狭環状境界壁５およびカバーディスク１１間に位置する。図１乃至３に示す変換器１では、カバーディスク１１、リング磁石１０、ヨーク１３のコアディスク１２およびダイアフラム１７はすべて同一の外径とし、この外径をハウジング３の周壁４の内径に正確に適合させて、ヨーク１３のコアディスク１２、リング磁石１０およびカバーディスク１１従ってダイアフラム１７がハウジング３の周壁４によって変換器軸線２に対して正確に位置決めされるようにする。この結果、空隙１５のボイスコイル１６も正確に位置決めされ、従ってボイスコイル１６は妨げられることなく確実に振動することができる。
コイル線より成るボイスコイル１６は２つのコイルリード線２０を有し、そのうちの１つのリード線２０のみを図２に示す。さらに、変換器１は２つの接点端子を有し、これら端子は図１には双方とも示すが、図２にはそのうちの１つのみを示す。両接点端子の各々は１つのこれらリード接点に好適には半田付けによって電気的に接続するが、これをクランピングによって行うこともできる。変換器軸線の方向に見て、２つのコイル端子はほぼ中空状円筒形磁石系９の内側に配設する。
図２から明らかなように、図１乃至３に示す変換器の接点端子はリム２３および２４を有するほぼＵ字状バネ接点２１および２２によって形成するのが好適であり、これらリムは変換器軸線２に垂直に延在させるとともに第１リム２３を変換器１の一部分に機械的に結合し、第２リム２４は衝合接点と共働する接点面２５を有し、この接点面２５を変換器軸線２にほぼ平行に移動自在とする。この接点面２５は各々を第２リム２４から離れるように湾曲されたバネ接点部分によって形成する。好適には、２つのバネ接点２１および２２の２つの接点面２５は、図１に明瞭に示すように、変換器軸線２から異なる距離の箇所に位置させるようにする。
前述したように、２つのバネ接点２１および２２の各々の第１リム２３は変換器１の一部分に機械的に連結する。２つのバネ接点２１および２２を装着する変換器１のこの部分はほぼポット状接点ホルダ２６によって形成する。２つのＵ字状バネ接点２１および２２の第１リム２３はポット状接点ホルダ２６の底壁２７に機械的に連結する。その中空円筒形周壁２８によって、ポット状接点ホルダ２６は磁石系９のヨーク１３における中空円筒形ヨーク部分１４に装着する。
Ｕ字状バネ接点２１および２２の各々の第１リム２３はその遊端に端子ラグ２９を有し、この端子ラグは第１リムに対して傾斜させるとともにポット状接点ホルダ２６の底壁２７を貫通して個別のコイルリード接点部分２０に接続する。斯様にして、２つの端子ラグ２９によって一方ではコイルリード線２０およびボイスコイル２６間、他方ではＵ字状バネ接点２１および２２間の電気接続を行う。
また、前述したようにＵ字状バネ接点２１および２２は変換器軸線２の方向に見て、ほぼ中空円筒形磁石系９の内側に位置させる。図２から明らかなように、図１乃至３に示す変換器１の２のＵ字状バネ接点２１および２２はその大部分を変換器軸線２に垂直な方向に見てほぼ中空状の磁石系９の内側に配設する。変換器軸線２に垂直な方向に見て、２つのＵ字状バネ接点２１および２２の接点面２５のみはほぼ中空状の円筒形磁石系９の外側に位置させる。
図１乃至３の電気音響変換器１に関しては、この変換器１が拡大して、即ち、実寸法のほぼ５倍に拡大して示されている。変換器１の実寸法では、図３に示す変換器１の外径の値は公称値13.2ｍｍである。これがため、変換器１は特にコンパクトであり、従って携帯用電話等のような遠隔通信装置に用いるに極めて好適である。
図１に示し得るような変換器１はさらに背部ボリュームＨＶを閉止するほぼ環状の閉止部材３０を具える。この閉止部材３０を図５、６および７に個別に示す。
図５乃至７に示すような閉止部材３０はプラスチック、好適にはポリアセタールで造る。その理由はこの合成材料が好適なバネ特性および高温安定性を有するからである。変換器軸線２に同心的な円３１に平行に延在する接触面３２によって、図１に１点鎖線で線図的に示す変換器１の部分の接触部分３３に対して位置させ、変換器１のこの部分を本例では磁石系９のヨーク１３によって、即ち、磁石系９のヨーク１３の環状コアディスク１２によって形成する。本例では、閉止部材３０は接触面３２に開口する合計で４個の経路３４、３５、３６および３７を有し、これら経路は変換器１の背部ボリュームＨＶと、変換器１を囲む音響自由空間との間に音響的摩擦を生ずるように作用する。音響的摩擦を得るために、かかる経路を設けることによって、電気音響変換器の音響的特性は既知のように影響を受け、規定される。
図５乃至７に示すように、閉止部材３０は環状体３８を具え、本例では変換器軸線２に垂直に延在するその環状接触面３２は、変換器１のこの部分の接触部分３３、即ち、これも変換器軸線２に垂直に延在するヨーク１３の接触部分３３に対向し、さらに閉止部材３０は、環状体３８からその周辺に沿って斜めに突出するとともにバネ作用に抗して移動自在のリング状突部３９を具える。本例では、このバネ作用は主として環状体３８とリング状突部３９との間の環状肉薄部分Ｚによって生ずる。リング状突部３９に対する音響的密封は衝合面４０によって達成することができる。かかる衝合面４０を図４に線図的に示す。この衝合面４０は図４には示さない電気音響装置の、図４に１点鎖線で示す支持壁４１に設けることができる。これがため、図４に示される本発明変換器１においては、支持壁４１は変換器１の背部ボリュームＨＶを閉止するように作用する。
図５乃至７に示す閉止部材３０では、経路３４、３５、３６および３７の各々は環状体３８の、変換器軸線２に垂直に延在する環状接触面３２で終端する。
図５乃至７に示す閉止部材３０では、リング状突部３９は変換器軸線２から離れる方向に環状体３８から突出させるのが有利である。本例では、閉止部材３０は互いに等角度間隔毎に離間された４つの安定化突部４２、４３、４４および４５を有する。４つの安定化突部４２、４３、４４および４５は変換器軸線２に対しリング状突部３９とは反対方向に閉止部材３０の環状体３８から斜めに突出する。本例では、４つの安定化突部４２、４３、４４および４５は変換器軸２に向かって指向する。
図７に示す安定化突部４３から明らかなように、閉止部材３０の４つの安定化突部４２、４３、４４および４５はリング状突部３９とほぼ同一角度で閉止部材３０の環状体３８から突出する。
これがため、図４に示す変換器１は所定数の安定化突部、即ち、４つの安定化突部４２、４３、４４および４５を有する閉止部材３０と、これに等しい数の経路、即ち、４つの経路３４、３５、３６および３７を具える。安定化突部４２、４３、４４および４５の各々および経路３４、３５、３６および３７の各々はそれぞれ半径方向ライン４６、４７、４８および４９に対して対称的に配設される。
閉止部材３０に関しては、この閉止部材３０において変換器軸線２の方向にほぼ延在する４つの角度的に等間隔な突部５０、５１、５２および５３はこの変換器の環状体３８に連結され、この突部によって閉止部材３０を変換器１のヨーク１３に連結し得るようにして閉止部材３０を保持する。突部５０、５１、５２および５３は各々がスロット５４、５５、５６および５７を有し、従ってこれら突部はその断面Ｕ字状リム部分となり、これらリム部分はヨーク１３にあけられた孔５８、５９、６０および６１内にこれら突部５０、５１、５２および５３が挿入、即ち、導入される際に、互いに向かって弾性的に移動自在となるようにする。これがため、閉止部材は上記突部５０、５１、５２および５３の弾性作用によって変換器１のヨーク１３に固着されるようになる。
図４に示す変換器１には図５乃至７に示す閉止部材３０を設け、この閉止部材はほぼ矩形断面の経路３４、３５、３６および３７を有する。変換器１の基本ユニットＢは他の異なる構成の閉止部材に接続することができる。即ち、変換器には異なる構成の閉止部材３０を設けることができ、これら閉止部材は、音響摩擦を得るために設けられた経路の形状に対して互いに異なり、従って変換器の異なる音響特性を生ずる。例えば、その構成が図５乃至７に示す閉止部材３０の構成とは相違する閉止部材はその辺が一層長いかまたは一層短い断面矩形状経路とするか、または断面半円形あるいは楔状経路とすることができる。これがため、異なる構成の閉止部材を用いることによって、すべての変換器の変形に共通の基本ユニットにより本発明変換器の、その音響特性が互いに相違する多数の変形を得ることができ、従って異なる種々の音響装置に最適の変換器を常時簡単に得ることができる。
図１乃至７につき説明した変換器１によれば、閉止部材３０の環状体３８と変換器１の磁石系９における、環状体３８と共働させるヨーク１３と間に音響密封することなく、閉止部材３０を変換器に連結することができ、且つリング状突部３９と衝合面４０と間の音響的密封連結、および閉止部材３０の環状体３８における環状接触面３２と変換器１の磁石系９における環状体３８に共働するヨーク１３の環状接触部分３３と間の音響的密封連結は、電気音響装置に変換器１を装着するまでは行わず、装着したとき、閉止部材３０のリング状突部３９が電気音響装置の衝合面４０に弾性的に当接し、これと同時に変換器１の背部ボリュームＨＶと変換器１を囲む音響自由空間との間の音響インピーダンスが４つの経路３４、３５、３６および３７によって生ずる。この音響インピーダンスは変換器の所望の音響特性を得るために必要である。さらに変換器１の閉止部材３０は位置決め機能および固定機能を有する。その理由は閉止部材３０によって、変換器１がこの電気音響装置に装着された後に、変換器１を電気音響装置の作動位置に好適に保持するからであり、この保持は閉止部材３０のリング状突部３９の弾性作用により主として達成される。閉止部材３０の他の利点は、閉止部材によって、即ち、閉止部材３０のリング状突部３９によって、装着高さの公差を補償することができる。リング状突部３９がリング状突部３８から外方に突出するため、このリング状突部によって穏やかなバネ作用を得ることができる。安定化突部４２、４３、４４および４５を設けることによって、可能なスペースにより環状体３８を比較的幅狭とし、従って寸法的に安定でない場合でも、環状体３８の接触面３２をヨーク１３の接触部分３３に対して常時確実に音響的に密封することができる。
図８はプリント回路板６５を支持する支持体６４を収容するハウジング６３を有する携帯電話６２の一部分を示す。
この携帯電話６２は本発明の第２例による電気音響変換器１を含む。この電気音響変換器１はその幅狭環状境界壁５によって環状位置決め円筒部６６に圧着し、このとき変換器１はリング状突部３９の弾性作用により位置決め円筒部６６に押し付けられ、これにより変換器１が確実に位置決めされ、作動位置に保持されるようにする。図８に示す変換器１の閉止部材３０は何等安定化突部を具えない。斯様に安定化突部が設けられていないにもかかわらず、環状体３８の接触面３２と変換器１の図８に示さない部分の接触部分３３とが常時互いに信頼性をもって係合されるようにするためには、図１に示す変換器１の環状体３８を好適な寸法定性が得られるように構成する。図８において、閉止部材３０の２つの経路３４および３６を破線で示す。
本発明は上述した２例にのみ限定されるものではない。例えば、閉止部材のリング状突部は肉薄部分を有することなく、環状体に連結することができ、且つそれ自体全体として弾性変形可能にし、従ってバネ作用に抗して移動自在とすることができる。
【図面の簡単な説明】
図１は本発明の第１実施例における電気音響変換器の、閉止部材を連結し得る基本ユニットを示す図２の矢Ｉの方向に見た底面図である。
図２は図１の矢II-IIの方向に見た一部断面側面図である。
図３は図２の矢IIIの方向に見た図１および２の基本ユニットである。
図４は図２と同様な本発明の第１実施例の電気音響変換器の基本ユニットおよび変換器の閉止部材を互いに連結する状態を示す平面図である。
図５は図４の閉止部材を示す図６のII-II線上の断面図である。
図６は図５の閉止部材を示す図５の矢IVの方向に見た平面図である。
図７は図５および６の閉止部材の一部分を示す図６に比較し拡大された図６のVII-VII線上の断面図である。
図８は本発明の第２実施例の電気音響変換器を具える携帯電話の一部分を示す側面図である。
【図１】
0004126620.tif 000002
【図２】
0004126620.tif 000003
【図３】
0004126620.tif 000004
【図４】
0004126620.tif 000005
【図５】
0004126620.tif 000006
【図６】
0004126620.tif 000007
【図７】
0004126620.tif 000008
【図８】
0004126620.tif 000009